(57)【要約】  着用可能な使い捨て排泄物用装置は、内部に形成されたポケットを含む本体部分と、本体部分内に形成された開放端部であって、着用者の手を、端部を通して受容するための、開放端部と、開放端部から遠位にある本体部分の閉鎖端部であって、閉鎖端部が、着用者の指先の周りに一致するような形状にされており、閉鎖端部が、中間区分と、着用者の手に着用されたときに、着用者の第１および第５の指幅に対応する中間区分の対向する側部に形成されたより短い端部区分と、を有する、閉鎖端部と、本体部分内に形成された開放端部から延在する一対の対向するタブであって、一対の対向するタブが、離間配置されており、それによって、閉鎖端部が隣り合う着用可能な使い捨て排泄物用装置の開放端部に隣接して位置付けられたときに、閉鎖端部の中間区分が一対の対向するタブの間に適合し得る、一対の対向するタブと、を含む。【特許請求の範囲】
【請求項１】
着用可能な使い捨て排泄物用装置であって、
使い捨て材料の少なくとも１つのシート内に形成されたポケットを含む本体部分と、
前記本体部分内に形成された開放端部であって、着用者の手を、前記端部を通して、かつ前記本体部分内に形成された前記ポケット内に受容するための、開放端部と、
前記開放端部から遠位にある前記本体部分の閉鎖端部であって、前記閉鎖端部が、前記着用者の指先の周りに一致するような形状にされており、前記閉鎖端部が、中間区分と、前記着用者の前記手に着用されたときに、前記着用者の第１および第５の指幅に対応する前記中間区分の対向する側部に形成されたより短い端部区分と、を有する、閉鎖端部と、
前記本体部分内に形成された前記開放端部から延在する一対の対向するタブであって、前記一対の対向するタブが、離間配置されており、それによって、前記閉鎖端部が隣り合う着用可能な使い捨て排泄物用装置の前記開放端部に隣接して位置付けられたときに、前記閉鎖端部の前記中間区分が前記一対の対向するタブの間に適合し得る、一対の対向するタブと、を備える、着用可能な使い捨て排泄物用装置。
【請求項２】
前記本体部分の前記閉鎖端部が、前記着用者の指を受容するための複数の平行な指溝内に形成されている、請求項１に記載の着用可能な使い捨て排泄物用装置。
【請求項３】
前記複数の平行な指溝が、互いに解放可能に取り付けられている、請求項２に記載の着用可能な使い捨て排泄物用装置。
【請求項４】
前記複数の平行な指溝が、前記複数の平行な指溝の間の前記使い捨て材料の穿孔に沿って互いに解放可能に取り付けられている、請求項３に記載の着用可能な使い捨て排泄物用装置。
【請求項５】
前記本体部分の前記開放端部が、隣接する着用可能な使い捨て排泄物用装置の本体部分の閉鎖端部に解放可能に取り付けられ、それによって、前記中間区分およびより短い対向する端部区分が、前記開放端部および前記隣接する着用可能な使い捨て装置の対向するより短い端部区分と相互係止する、請求項１に記載の着用可能な使い捨て排泄物用装置。
【請求項６】
前記本体部分が、前記使い捨て材料の穿孔に沿って、前記隣接する着用可能な使い捨て排泄物用装置の前記本体部分の前記閉鎖端部に解放可能に取り付けられている、請求項５に記載の着用可能な使い捨て排泄物用装置。
【請求項７】
複数の前記着用可能な使い捨て排泄物用装置が、互いに解放可能に取り付けられて、ロールを形成している、請求項５に記載の着用可能な使い捨て排泄物用装置。
【請求項８】
前記対向するタブの長さが、前記中間区分とより短い端部区分との長さの差に近似する、請求項１に記載の着用可能な使い捨て排泄物用装置。
【請求項９】
前記対向するタブのうちの一方の長さが、他方の対向するタブよりも長い、請求項８に記載の着用可能な使い捨て排泄物用装置。
【請求項１０】
着用可能な使い捨て排泄物用装置であって、
使い捨て材料の少なくとも１つのシート内に形成されたポケットを含む本体部分と、
前記本体部分内に形成された開放端部であって、着用者の手を、前記端部を通して、かつ前記本体部分内に形成された前記ポケット内に受容するための、開放端部と、
前記開放端部から遠位にある前記本体部分の閉鎖端部であって、前記閉鎖端部が、前記着用者の指先の周りに一致するような形状にされており、前記閉鎖端部が、中間区分と、前記着用者の前記手に着用されたときに、前記着用者の第１および第５の指幅に対応する前記中間区分の対向する側部に形成されたより短い端部区分と、を有する、閉鎖端部と、
前記本体部分内に形成された前記開放端部から延在する一対の対向するタブであって、前記一対の対向するタブが、離間配置されており、それによって、前記閉鎖端部が隣り合う着用可能な使い捨て排泄物用装置の開放端部に隣接して位置付けられたときに、前記閉鎖端部の前記中間区分が前記一対の対向するタブの間に適合し得る、一対の対向するタブと、を備え、
前記本体部分の前記開放端部が、隣接する着用可能な使い捨て排泄物用装置の本体部分の閉鎖端部に解放可能に取り付けられ、それによって、前記中間区分およびより短い対向する端部区分が、前記隣接する着用可能な使い捨て装置の前記開放端部および対向するより短い端部区分と相互係止する、着用可能な使い捨て排泄物用装置。
【請求項１１】
複数の前記着用可能な使い捨て排泄物用装置が、互いに解放可能に取り付けられて、ロールを形成している、請求項１０に記載の着用可能な使い捨て排泄物用装置。
【請求項１２】
前記本体部分が、前記使い捨て材料の穿孔に沿って、前記隣接する着用可能な使い捨て排泄物用装置の前記本体部分の前記閉鎖端部に解放可能に取り付けられている、請求項１１に記載の着用可能な使い捨て排泄物用装置。
【請求項１３】
前記本体部分の前記閉鎖端部が、前記着用者の指を受容するための複数の平行な指溝内に形成されている、請求項１０に記載の着用可能な使い捨て排泄物用装置。
【請求項１４】
使い捨て排泄物用装置のロールであって、
複数の取り外し可能に接続されたシートであって、各シートが、
使い捨て材料の少なくとも１つのシート内に形成されたポケットを含む本体部分と、
前記本体部分内に形成された開放端部であって、着用者の手を、前記端部を通して、かつ前記本体部分内に形成された前記ポケット内に受容するための、開放端部と、
前記開放端部から遠位にある前記本体部分の閉鎖端部であって、前記閉鎖端部が、前記着用者の指先の周りに一致するような形状にされており、前記閉鎖端部が、中間区分と、前記着用者の前記手に着用されたときに、前記着用者の第１および第５の指幅に対応する前記中間区分の対向する側部に形成されたより短い端部区分と、を有する、閉鎖端部と、
前記本体部分内に形成された前記開放端部から延在する一対の対向するタブであって、前記一対の対向するタブが、離間配置されており、それによって、前記閉鎖端部が隣り合う着用可能な使い捨て排泄物用装置の開放端部に隣接して位置付けられたときに、前記閉鎖端部の前記中間区分が前記一対の対向するタブの間に適合し得る、一対の対向するタブと、を有する、複数の取り外し可能に接続されたシートを、備え、
前記本体部分の前記開放端部が、隣接する着用可能な使い捨て排泄物用装置の本体部分の閉鎖端部に解放可能に取り付けられ、それによって、前記中間区分およびより短い対向する端部区分が、前記隣接する着用可能な使い捨て装置の前記開放端部および対向するより短い端部区分と相互係止する、着用可能な使い捨て排泄物用装置。
【発明の詳細な説明】
【技術分野】
【０００１】
関連出願の相互参照
本出願は、２０１７年３月３０日に出願され、「Ｅａｓｙ  Ｇｌｏｖｅ」と題されたＲｏｂｅｒｔ  Ｒｕｓｓｅｌｌの米国仮特許出願第６２／４７８，８０８号の優先権を主張し、その内容はその全体が参照により本明細書に組み込まれる。
【０００２】
本開示は、ペットケアの分野に関する。より具体的には、本開示は、ペットの排泄物を収集および廃棄するための使い捨て手袋に関する。
【背景技術】
【０００３】
ペットの排泄物を拾って収集することは、困難かつ汚い処理である。人の手を使って排泄物を拾うためには、通常ポリ袋が用いられる。排泄物がゆるい場合、またはそうでなければ汚い場合は、皮膚に接触せずに排泄物を拾うことはほとんど不可能であり得る。これにより、処理は、ペットの飼い主にとって不衛生で不快なものになる。さらに、ペットの排泄物を拾わない人は、地域社会の罰金などの罰則を科せられる場合がある。
【０００４】
ペットの排泄物を拾って収集するのを支援する他の様々な装置が存在するが、そのような装置は、通常、扱いにくく、ペットと一緒に歩いている間も人が装置を携帯する必要がある。例えば、様々な装置は、ペットの排泄物を収集し、その排泄物を容器に入れるための細長い道具および／またはスコップを含むことがある。これらの装置は、かさばり、ペットの飼い主がペットを散歩に連れて行き、またはペットを追いかけてペットの排泄物を収集するときに、携帯しづらい場合がある。
【０００５】
したがって、必要とされるのは、ペットの排泄物を収集するために使用者によって容易に着用され、ペットの排泄物を収集後にきれいに廃棄するように適応されたペット排泄物用使い捨て手袋である。
【発明の概要】
【０００６】
上記および他のニーズは、ペット排泄物用使い捨て手袋によって満たされる。第１の態様では、着用可能な使い捨て排泄物用装置は、使い捨て材料の少なくとも１つのシート内に形成されたポケットを含む本体部分と、本体部分内に形成された開放端部であって、着用者の手を、端部を通して、かつ本体部分内に形成されたポケット内に受容するための、開放端部と、開放端部から遠位にある本体部分の閉鎖端部であって、閉鎖端部が、着用者の指先の周りに一致するような形状にされており、閉鎖端部が、中間区分と、着用者の手に着用されたときに、着用者の第１および第５の指幅に対応する中間区分の対向する側部に形成されたより短い端部区分と、を有する、閉鎖端部と、本体部分内に形成された開放端部から延在する一対の対向するタブであって、一対の対向するタブが、離間配置されており、それによって、閉鎖端部が隣り合う着用可能な使い捨て排泄物用装置の開放端部に隣接して位置付けられたときに、閉鎖端部の中間区分が一対の対向するタブの間に適合し得る、一対の対向するタブと、を含む。
【０００７】
一実施形態では、本体部分の閉鎖端部は、着用者の指を受容するための複数の平行な指溝内に形成されている。別の実施形態では、複数の平行な指溝は、互いに解放可能に取り付けられている。
【０００８】
さらに別の実施形態では、複数の平行な指溝は、複数の平行な指溝の間の使い捨て材料の穿孔に沿って互いに解放可能に取り付けられている。
【０００９】
一実施形態では、本体部分の開放端部は、隣接する着用可能な使い捨て排泄物用装置の本体部分の閉鎖端部に解放可能に取り付けられ、それによって、中間区分およびより短い対向する端部区分が、隣接する着用可能な使い捨て装置の開放端部および対向するより短い端部区分と相互係止する。
【００１０】
別の実施形態では、本体部分は、使い捨て材料の穿孔に沿って、隣接する着用可能な使い捨て排泄物用装置の本体部分の閉鎖端部に解放可能に取り付けられている。
【００１１】
さらに別の実施形態では、複数の着用可能な使い捨て排泄物用装置は、互いに解放可能に取り付けられて、ロールを形成している。
【００１２】
一実施形態では、対向するタブの長さは、中間区分とより短い端部区分との長さの差に近似する。
【００１３】
別の実施形態では、対向するタブのうちの一方の長さは、他方の対向するタブよりも長い。
【００１４】
第２の態様では、着用可能な使い捨て排泄物用装置は、使い捨て材料の少なくとも１つのシート内に形成されたポケットを含む本体部分と、本体部分内に形成された開放端部であって、着用者の手を、端部を通して、かつ本体部分内に形成されたポケット内に受容するための、開放端部と、開放端部から遠位にある本体部分の閉鎖端部であって、閉鎖端部が、着用者の指先の周りに一致するような形状にされており、閉鎖端部が、中間区分と、着用者の手に着用されたときに、着用者の第１および第５の指幅に対応する中間区分の対向する側部に形成されたより短い端部区分と、を有する、閉鎖端部と、本体部分内に形成された開放端部から延在する一対の対向するタブであって、一対の対向するタブが、離間配置されており、それによって、閉鎖端部が隣り合う着用可能な使い捨て排泄物用装置の開放端部に隣接して位置付けられたときに、閉鎖端部の中間区分が一対の対向するタブの間に適合し得る、一対の対向するタブと、を含む。本体部分の開放端部は、隣接する着用可能な使い捨て排泄物用装置の本体部分の閉鎖端部に解放可能に取り付けられ、それによって、中間区分およびより短い対向する端部区分が、隣接する着用可能な使い捨て装置の開放端部および対向するより短い端部区分と相互係止する。
【００１５】
一実施形態では、複数の着用可能な使い捨て排泄物用装置は、互いに解放可能に取り付けられて、ロールを形成している。別の実施形態では、本体部分は、使い捨て材料の穿孔に沿って、隣接する着用可能な使い捨て排泄物用装置の本体部分の閉鎖端部に解放可能に取り付けられている。さらに別の実施形態では、本体部分の閉鎖端部は、着用者の指を受容するための複数の平行な指溝内に形成されている。
【００１６】
第３の態様では、使い捨て排泄物用装置のロールは、複数の取り外し可能に接続されたシートを含み、各シートが、使い捨て材料の少なくとも１つのシート内に形成されたポケットを含む本体部分と、本体部分内に形成された開放端部であって、着用者の手を、端部を通して、かつ本体部分内に形成されたポケット内に受容するための、開放端部と、開放端部から遠位にある本体部分の閉鎖端部であって、閉鎖端部が、着用者の指先の周りに一致するような形状にされており、閉鎖端部が、中間区分と、着用者の手に着用されたときに、着用者の第１および第５の指幅に対応する中間区分の対向する側部に形成されたより短い端部区分と、を有する、閉鎖端部と、本体部分内に形成された開放端部から延在する一対の対向するタブであって、一対の対向するタブが、離間配置されており、それによって、閉鎖端部が隣り合う着用可能な使い捨て排泄物用装置の開放端部に隣接して位置付けられたときに、閉鎖端部の中間区分が一対の対向するタブの間に適合し得る、一対の対向するタブと、を有する。本体部分の開放端部は、隣接する着用可能な使い捨て排泄物用装置の本体部分の閉鎖端部に解放可能に取り付けられ、それによって、中間区分およびより短い対向する端部区分が、隣接する着用可能な使い捨て装置の開放端部および対向するより短い端部区分と相互係止する。
【図面の簡単な説明】
【００１７】
本開示のさらなる特徴、態様、および利点は、以下の詳細な説明、添付の特許請求の範囲、および添付の図面を参照することによってよりよく理解されるようになり、要素は、細部をより明確に示すために縮尺どおりではなく、同様の参照番号は、いくつかの図を通じて同様の要素を示す。
【００１８】
【図１】本開示の一実施形態による、ロールの一部としてのペット排泄物用使い捨て手袋を示す。
【図２】本開示の一実施形態によるペット排泄物用使い捨て手袋を示す。
【図３】本開示の一実施形態による、着用者の手から取り外されたペット排泄物用使い捨て手袋を示す。
【図４】本開示の一実施形態による、対向するタブを使用して一緒に結ばれたペット排泄物用使い捨て手袋を示す。
【発明を実施するための形態】
【００１９】
本明細書で使用される様々な用語は、特定の意味を有することを意図している。これらの用語のうちのいくつかは、明確にするために以下に定義される。以下に示される定義は、定義されている単語の全ての形態（例えば、単数形、複数形、現在形、過去形）を対象としている。以下のあらゆる用語の定義が、そのような用語の一般的に理解されているおよび／または辞書の定義と異なる場合、以下の定義が優先する。
【００２０】
図１は、ペット排泄物用使い捨て手袋１０の基本的な実施形態を示している。ペット排泄物用使い捨て手袋１０は、使用者の手に着用されるように適応されている。ペット排泄物用使い捨て手袋１０は、着用者が物体に接触することを必要とせずに、装置の着用者がペットの排泄物などの物体を拾って廃棄することを有利に可能にする。ペット排泄物用使い捨て手袋１０は、着用者によって着用され、使用後に捨てられるように形成され、好ましくは、使用者によって着用され得る複数のペット排泄物用使い捨て手袋１０を含むロールで提供される。
【００２１】
図１および図２に示すように、ペット排泄物用使い捨て手袋１０は、ペット排泄物用使い捨て手袋１０の着用者の手を受容するための本体部分１２を含む。本体部分１２は、好ましくは、手を受容するために本体部分１２内に画定されたポケット１４を形成している。本体部分１２は、好ましくは、プラスチックまたはポリマー系材料などの使い捨て材料で形成されている。使い捨て材料は、水溶性材料などの生分解性材料でさらに形成されていてもよい。本体部分１２は、本体部分１２の縁部に沿って互いに接合される、一対のシートなどの１つ以上のシートで形成されてもよい。本体部分１２は、好ましくは、第１の端部１６と、本体部分１２の第１の端部１６から遠位にある第２の端部１８と、を含む。
【００２２】
開口部２０は、好ましくは、着用者の手を、開口部２０を通してペット排泄物用使い捨て手袋１０の本体部分１２内に画定されたポケット１４内に受容するために、本体部分１２の第１の端部１６に形成されている。開口部２０は、好ましくは、手を、開口部２０を通して本体部分１２内に収容できるような幅を有する。
【００２３】
本体部分１２の第１の端部１６の開口部２０の対向する側部に、一対の対向するタブ２２Ａおよび２２Ｂが形成されている。対向するタブ２２Ａおよび２２Ｂは、好ましくは、本体部分１２の第１の端部１６から互いに平行に延在する。対向するタブ２２Ａおよび２２Ｂは、対向するタブ２２Ａおよび２２Ｂの間に間隙を形成し、それによって、詳細に後述するように、隣接するペット排泄物用使い捨て手袋１０の第２の端部１８が対向するタブ２２Ａおよび２２Ｂと第１の端部１６とに適合するような形状にされている。
【００２４】
第２の端部１８は閉鎖されており、好ましくは、着用者の手の指を受容するような形状にされている。第２の端部１８は、中間部分２４と、対向する外側部分２６Ａおよび２６Ｂと、を含む。中間部分２４は、好ましくは、対向する外側部分２６Ａおよび２６の長さよりも長い長さを有する。中間部分２４は、好ましくは、手の中間の指幅の周りに一致するような形状にされており、一方、対向する外側部分２６Ａおよび２６Ｂは、手の外側の指幅に一致するような形状にされている。
【００２５】
再び図１を参照すると、閉鎖された第２の端部１８は、好ましくは、着用者の手の指を受容するような形状にされている。一実施形態では、第２の端部１８は、着用者の手の個々の指を受容するような形状にされた複数の閉鎖された溝２８へと形成されてもよい。複数の閉鎖された溝２８は、溝２８の各々の間に形成された複数の穿孔３０に沿って互いに分離可能に取り付けられてもよい。図１は、複数の溝２８へと形成された第２の端部１８を示しているが、第２の端部は、着用者の手の指の間が開放された端部へと形成され、それによって、ペット排泄物用使い捨て手袋１０が着用者の手に装着されるミットと同様の形状にされてもよいこともまた理解される。第２の端部がミットとして形成される場合、第２の端部は、好ましくは、着用者の複数の指を第２の端部の同じ部分内に受容するような形状にされており、それによって着用者の指が互いに接触する。
【００２６】
引き続き図１を参照すると、ペット排泄物用使い捨て手袋１０は、好ましくは、複数のペット排泄物用使い捨て手袋を含むロール３２の一部として提供される。複数のペット排泄物用使い捨て手袋１０は、好ましくは、第１の手袋の第１の端部１６と第２の隣接する手袋の第２の端部１８との間のペット排泄物用使い捨て手袋１０の隣接部内に適合する。より長い中間部分２４は、隣り合うペット排泄物用使い捨て手袋１０の対向するタブ２２Ａおよび２２Ｂの間に適合する形状にされており、それによって第２の端部１８は、隣り合う手袋の第１の端部１６に当接する。さらに、外側部分２６Ａおよび２６Ｂは、一対の対向するタブ２２Ａおよび２２Ｂの端部に当接するような形状にされている。ペット排泄物用使い捨て手袋１０の一番目が隣接する手袋と接合されると、連続シートが形成され、ペット排泄物用使い捨て手袋１０の各々は、ペット排泄物用使い捨て手袋１０の一部として使用されない余分な材料を必要とせずに使用のために容易に取り外される。
【００２７】
ロール３２で一緒に接合されたとき、複数のペット排泄物用使い捨て手袋１０の各々は、好ましくは、第１の手袋の第１の端部１６と第２の手袋の第２の端部１８との間に形成された穿孔３４に沿って隣接する手袋と接合される。
【００２８】
使用中、ペット排泄物用使い捨て手袋１０の着用者は、図２に示すように、ペット排泄物用使い捨て手袋１０のうちの１つをロール３２から取り外し、ペット排泄物用使い捨て手袋１０に手を挿入してもよい。次に、着用者は、着用者の手を保護するために、ペット排泄物用使い捨て手袋の本体部分１２を使用して、物体、好ましくはペットの排泄物を拾ってもよい。ペットの排泄物を拾った後、着用者は、図３に示すように、対向するタブ２２Ａおよび２２Ｂのうちの一方を使用して、ペット排泄物用使い捨て手袋１０を手から引き離してもよく、それによってペット排泄物用使い捨て手袋１０が裏返されるようになる。ペットの排泄物は、その後、裏返されたペット排泄物用使い捨て手袋１０内に閉じ込められる。使用者は、その後、対向するタブ２２Ａおよび２２Ｂを一緒に結んでもよく、それによってペット排泄物がその後の廃棄のためにペット排泄物用使い捨て手袋１０の本体部分１２内に封じ込まれる。
【００２９】
ペット排泄物用使い捨て手袋１０は、使用者がペットの排泄物との接触から手を保護することを有利に可能にしながら、ペット排泄物用使い捨て手袋１０内に全てのペットの排泄物を収集できるような着用者の器用さを提供する。さらに、ペット排泄物用使い捨て手袋１０は、着用者が余分な材料を取り外すことを必要とせずに、ロール３２に沿って隣接するペット形状の使い捨て手袋に適合するような形状にされ、それによって余分な材料が浪費されるのを防ぐ。
【００３０】
本明細書に記載されるペット排泄物用使い捨て手袋１０は、様々な他の用途にも好適であり得る。例えば、使い捨て手袋の実施形態は、食物と共に使用するため、または医療目的のために、箱または他の同様の容器で提供されてもよい。対向するタブ２２Ａおよび２２Ｂにより、様々な他の用途で使い捨て手袋を容易に取り外し、かつ廃棄することが可能になる。
【００３１】
本開示の好ましい実施形態の前述の説明は、例示および説明のために提示されたものである。説明した好ましい実施形態は、網羅的であること、または開示の範囲を開示された正にその形態（複数可）に限定することを意図するものではない。上記の教示に照らして、明らかな修正または変形が可能である。実施形態は、本開示の原理およびその実際の用途の最良の例示を提供し、それによって、当業者が本開示で明らかにされた概念を、様々な実施形態で、および企図される特定の使用に適した様々な修正と共に利用することができるようにするために選択および説明されたものである。そのような全ての修正および変更は、これらに公正、合法、かつ公平に与えられる幅に従って解釈される場合、添付の特許請求の範囲によって決定される本開示の範囲内である。
【図１】
2020511961.tif 000002
【図２】
2020511961.tif 000003
【図３】
2020511961.tif 000004
【図４】
2020511961.tif 000005
【国際調査報告】
2020511961.tif 000006
2020511961.tif 000007